(57)【要約】      （修正有）【課題】様々な接続インターフェイスに使用できるカードリーダを提供する。【解決手段】本体１、アダプタ装置２および伝送線３から構成され、本体１一側にはＵＳＢプラグ１５が設けられ、本体１上方にはアダプタ装置２が収納される位置決め部１１が設けられる。アダプタ装置２の伝送線３が接続された基部２１両側にはマイクロＵＳＢプラグ２２およびミニＵＳＢプラグ２３がそれぞれ設けられ、伝送線３の他側は本体１内の回路板１３と接続される。本体１下方には、外部の電子カードが挿入され、回路板１３上の接触端子１４と対接する挿入口１２が設けられる。本体１を使用して電子カードのデータを外部の電子装置に伝送したいとき、ＵＳＢプラグ１５、マイクロＵＳＢプラグ２２またはミニＵＳＢプラグ２３を選択して外部の電子装置のソケットに挿入して伝送を行なう。【選択図】図３
0003149440.tif 000002
【実用新案登録請求の範囲】
【請求項１】
本体、アダプタ装置および伝送線から構成され、
前記本体上方には、前記アダプタ装置が固定される位置決め部が設けられ、前記本体下方には挿入口が開設され、前記挿入口から電子カードが内部の対接空間に挿入され、前記対接空間内には関連する電子回路素子を有する回路板が設けられ、前記回路板上には前記電子カードの接点と対応して電気的に接続される接触端子が設けられ、前記本体一側には前記回路板と接続されるＵＳＢプラグが設けられ、
前記アダプタ装置は、基部両側にマイクロＵＳＢプラグおよびミニＵＳＢプラグがそれぞれ設けられ、前記マイクロＵＳＢプラグおよびミニＵＳＢプラグはそれぞれ前記位置決め部に位置決めされ、
前記伝送線は、前記位置決め部の一側に位置決めされ、前記伝送線両側には前記回路板および前記アダプタ装置のマイクロＵＳＢプラグおよびミニＵＳＢプラグと接続される線材端部がそれぞれ設けられることを特徴とするカードリーダ。
【請求項２】
前記本体の位置決め部両側には、前記アダプタ装置のマイクロＵＳＢプラグおよびミニＵＳＢプラグが収納される係合溝および位置合わせ孔がそれぞれ設けられ、前記本体は前記回路板を被覆する上下ケーシングから構成され、前記位置決め部に形成される前記係合溝および位置合わせ孔は上ケーシングに開設され、前記挿入口は他側の下ケーシングに開設され、前記本体上にはスライド移動して前記対接空間内の電子カードを取り出すのに使用されるカード取出部が設けられることを特徴とする請求項１記載のカードリーダ。
【請求項３】
前記伝送線の一側の線材端部は、二股に分岐して前記マイクロＵＳＢプラグの端子ピンおよび前記ミニＵＳＢ端子の端子ピンとそれぞれ接続され、前記線材端部は前記アダプタ装置とＴ字形に接続されることを特徴とする請求項１記載のカードリーダ。
【考案の詳細な説明】
【技術分野】
【０００１】
本考案はカードリーダに関し、特に、本体一側にＵＳＢプラグを有し、本体他側からは伝送線が接続されたアダプタ装置を引き出すことができ、アダプタ装置はマイクロＵＳＢプラグおよびミニＵＳＢプラグを有し、使用者の必要に合わせて接続インターフェイスを選択して使用でき、適用性が高く、市場における需要に符合し、経済効果を高め、使用者の購買欲を高め、付加価値を加えることができるカードリーダに関する。
【背景技術】
【０００２】
科学技術の進歩によって、多くの電子機器製品は弛まぬ革新、進化を続け、現在は次第にデジタル化時代に突入している。デジタル製品として、例えば、デジタルテレビ、デジタルオーディオ機器、ＭＰ３、デジタルカメラ、電子辞書、ＰＤＡまたはその他の電子製品などの新しい製品が次々に登場しており、それらのデジタル製品は、通常、メモリカードを使用して記憶、データアクセスおよび記憶データの更新が行なわれ、カードリーダを通じてメモリカード内部のデータの読取または保存が行なわれる。多くの電気製品は、簡単に使用でき、携帯に便利なように、軽薄短小化が行なわれ、それに伴って内部の部材も体積を縮小させる必要があるので、小型のメモリカードが設計され、それらの電気製品に使用されている。
【０００３】
現在、市場に見られるメモリカードは、ＭＭＣ（Multi Media Card）、ＣＦ（Compact Flash Card）、ＳＭＣ（Smart Media（登録商標） Card）、ＭＳ（Memory Stick）、ＳＤ（Secure Digital Memory Card）などの規格があり、また、例えば、Mini ＳＤ、ＭＳ Duo、Trans Flash（MICRO SD）などの体積が更に小さく、容量が大きいメモリカードが次々と登場している。
【０００４】
カードリーダは、メモリカードとコンピュータとの間に使用される一種のインターフェイスであり、コンピュータのＵＳＢ（Universal Serial Bus）規格のソケットを通じてカードリーダからデータの伝送を行ない、カードリーダはホットプラグ方式によって高速でコンピュータに読み取られる。現在市場におけるカードリーダは体積が大きく、占用空間が広く、携帯に不便であり、カードリーダ全体の重量が重いので、カードリーダをコンピュータのＵＳＢソケットに直接挿入することができず、ＵＳＢケーブルを別に購入して接続を行ない、データ伝送を行なう必要がある。従って、使用コストが増加し、コンピュータ周辺の線材が増加する欠点を有する。
【０００５】
また、一般のカードリーダは、単一の接続インターフェイス（例えば、ＵＳＢインターフェイス）のみを有し、それを外部の電子装置の対応するソケットに挿入して使用され、使用者が仮にカードリーダを他のインターフェイス（例えば、マイクロＵＳＢソケット、ミニＵＳＢソケット）を有する電子装置のソケットにしたい場合、そのカードリーダを直接使用することができず、アダプタを使用するか、またはそのインターフェイスを有するカードリーダを使用する必要があるので、適用範囲が狭く、機能も制限され、付加価値も少ないなどの欠点を有する。
【０００６】
従って、如何にして上述の従来技術の問題および欠点を解決し、複数の接続インターフェイスを有し、外部のメモリカードを挿入接続できる軽薄短小なカードリーダを開発するかは、関連業者が解決したかった問題であった。
【０００７】
そこで、本考案の考案者は、上述の問題および欠点を解決するために、関連資料を収集し、本業界における長年の経験、幾度もの試作および修正から、ついに本考案のカードリーダを案出した。
【先行技術文献】
【特許文献】
【０００８】
【特許文献１】特開２００５−２２８０６３号公報
【考案の概要】
【考案が解決しようとする課題】
【０００９】
本考案の第１の目的は、カードリーダ本体上方の位置決め部にアダプタ装置が位置決めされ、アダプタ装置には、伝送線が接続された基部両側に、マイクロＵＳＢプラグおよびミニＵＳＢプラグがそれぞれ設けられ、伝送線の他側は本体内の回路板と接続され、本体下方には、外部の電子カードが挿入され、回路板上の接触端子と対接される挿入口が開設され、本体を使用して電子カードのデータを外部の電子装置に伝送したいとき、使用者の必要に合わせて、ＵＳＢプラグ、マイクロＵＳＢプラグまたはミニＵＳＢプラグを選択して外部の電子装置のソケットに挿入し、電子カードのデータを外部電子装置に伝送して受信および読取を行なわせることができ、様々な電子装置の接続インターフェイスに使用でき、適用性が広く、市場における需要に符合し、経済効果が高く、使用者の購買欲を高め、付加価値を加えることができるカードリーダを提供することにある。
本考案の第２の目的は、本体の位置決め部両側に係合溝および位置合わせ孔がそれぞれ設けられるので、アダプタ装置両側のマイクロＵＳＢプラグおよびミニＵＳＢプラグを収納するとき、本体上の空間を十分に利用してアダプタ装置を収納することができ、それによって、カードリーダ本来の外観およびサイズのもと、アダプタ装置を増設することができ、カードリーダの構造が小型化され、軽薄短小になり、携帯および使用に便利であり、同時に、マイクロＵＳＢプラグおよびミニＵＳＢプラグが係合溝および位置合わせ孔内に位置決めされることによって、マイクロＵＳＢプラグおよびミニＵＳＢプラグが本体から突出して他の物体とぶつかって破損を受けるという問題を防止できるカードリーダを提供することにある。
【課題を解決するための手段】
【００１０】
上記課題を解決するために、請求項１の考案は、本体、アダプタ装置および伝送線から構成され、本体上方には、アダプタ装置が固定される位置決め部が設けられ、本体下方には挿入口が開設され、挿入口から電子カードが内部の対接空間に挿入され、対接空間内には関連する電子回路素子を有する回路板が設けられ、回路板上には電子カードの接点と対応して電気的に接続される接触端子が設けられ、本体一側には回路板と接続されるＵＳＢプラグが設けられ、アダプタ装置は、基部両側にマイクロＵＳＢプラグおよびミニＵＳＢプラグがそれぞれ設けられ、マイクロＵＳＢプラグおよびミニＵＳＢプラグはそれぞれ位置決め部に位置決めされ、伝送線は、位置決め部の一側に位置決めされ、伝送線両側には回路板およびアダプタ装置のマイクロＵＳＢプラグおよびミニＵＳＢプラグと接続される線材端部がそれぞれ設けられることを特徴とするカードリーダである。
【００１１】
請求項２の考案は、本体の位置決め部両側には、アダプタ装置のマイクロＵＳＢプラグおよびミニＵＳＢプラグが収納される係合溝および位置合わせ孔がそれぞれ設けられ、本体は回路板を被覆する上下ケーシングから構成され、位置決め部に形成される係合溝および位置合わせ孔は上ケーシングに開設され、挿入口は他側の下ケーシングに開設され、本体上にはスライド移動して対接空間内の電子カードを取り出すのに使用されるカード取出部が設けられることを特徴とする請求項１記載のカードリーダである。
【００１２】
請求項３の考案は、伝送線の一側の線材端部は、二股に分岐してマイクロＵＳＢプラグの端子ピンおよびミニＵＳＢ端子の端子ピンとそれぞれ接続され、線材端部はアダプタ装置とＴ字形に接続されることを特徴とする請求項１記載のカードリーダである。
【考案の効果】
【００１３】
本考案のカードリーダは、カードリーダ本体上方の位置決め部にアダプタ装置が位置決めされ、アダプタ装置には、伝送線が接続された基部両側に、マイクロＵＳＢプラグおよびミニＵＳＢプラグがそれぞれ設けられ、伝送線の他側は本体内の回路板と接続され、本体下方には、外部の電子カードが挿入され、回路板上の接触端子と対接される挿入口が開設され、本体を使用して電子カードのデータを外部の電子装置に伝送したいとき、使用者の必要に合わせて、ＵＳＢプラグ、マイクロＵＳＢプラグまたはミニＵＳＢプラグを選択して外部の電子装置のソケットに挿入し、電子カードのデータを外部電子装置に伝送して受信および読取を行なわせることができ、様々な電子装置の接続インターフェイスに使用でき、適用性が広く、市場における需要に符合し、経済効果が高く、使用者の購買欲を高め、カードリーダに付加価値を加えることができる。また、本体の位置決め部両側に係合溝および位置合わせ孔がそれぞれ設けられるので、アダプタ装置両側のマイクロＵＳＢプラグおよびミニＵＳＢプラグを収納するとき、本体上の空間を十分に利用してアダプタ装置を収納することができ、それによって、カードリーダ本来の外観およびサイズのもと、アダプタ装置を増設することができ、カードリーダの構造が小型化され、軽薄短小になり、携帯および使用に便利であるという効果を達成でき、同時に、マイクロＵＳＢプラグおよびミニＵＳＢプラグが係合溝および位置合わせ孔内に位置決めされることによって、マイクロＵＳＢプラグおよびミニＵＳＢプラグが本体から突出して他の物体とぶつかって破損を受けるという問題を防止できる。
【図面の簡単な説明】
【００１４】
【図１】本考案のカードリーダを示す斜視図である。
【図２】本考案のカードリーダを示す分解斜視図である。
【図３】本考案のカードリーダを示す他の角度からの分解斜視図である。
【図４】本考案のカードリーダの使用時の状態を示す分解斜視図である。
【図５】本考案のカードリーダの使用時の状態を示す斜視図である。
【図６】本考案のカードリーダの使用時の状態を示す斜視図である。
【考案を実施するための形態】
【００１５】
本考案の目的、特徴および効果を示す実施例を図に沿って詳細に説明する。
【実施例１】
【００１６】
図１は、本考案のカードリーダを示す斜視図である。図２は、本考案のカードリーダを示す分解斜視図である。図３は、本考案のカードリーダを示す他の角度からの分解斜視図である。図４は、本考案のカードリーダの使用時の状態を示す分解斜視図である。図５は、本考案のカードリーダの使用時の状態を示す斜視図である。図から分かるように、本考案のカードリーダは、本体１、アダプタ装置２および伝送線３から構成される。
【００１７】
本体１上方には、アダプタ装置２が収納される位置決め部１１が開設され、本体１下方には挿入口１２が開設され、挿入口１２から外部の電子カード４が内部の対接空間１０に挿入される。対接空間１０内には、接触端子１４が接合された回路板１３が設けられ、回路板１３上には関連する電子回路素子が設けられる。接触端子１４は電子カード４の接点４１と対応して接触する。本体１前方には内部の回路板１３と接続されるＵＳＢプラグ１５が設けられる。
【００１８】
アダプタ装置２は、基部２１両側にマイクロＵＳＢプラグ２２およびミニＵＳＢプラグ２３がそれぞれ設けられて構成され、マイクロＵＳＢプラグ２２およびミニＵＳＢプラグ２３は位置決め部１１内にそれぞれ位置決めされる。
【００１９】
伝送線３両側の線材端部３１には、本体１の回路板１３およびアダプタ装置２の基部２１が接続され、基部２１内の線材端部３１はマイクロＵＳＢプラグ２２およびミニＵＳＢプラグ２３と接続される。
【００２０】
上述の回路板１３上の電子回路素子はアダプタ装置２からの信号を処理可能なチップを有し、チップの一側はアンテナおよびＬＥＤなどと電気的に接続される。回路板１３上の電子回路素子は更に電子カード４からの信号を処理可能なチップを有する。また、本体１は、回路板１３を被覆する上下ケーシング１Ａ、１Ｂから構成され、位置決め部１１に形成される係合溝１１１および位置合わせ孔１１２は上ケーシング１Ａに開設され、挿入口１２は下ケーシング１Ｂに開設される。下ケーシング１Ｂにはスライド移動するカード取出部１６が接続され、カード取出部１６を移動させることによって、対接空間１０内の電子カード４を取り出すことができる（図４を参照）。
【００２１】
本考案のカードリーダを組み立てるとき、先ず、接触端子１４を回路板１３上に設置し、ＵＳＢプラグ１５を回路板１３前方に組み立て、半田接続によって接触端子１４およびＵＳＢプラグ１５の端子ピンを回路板１３の接点上に固定する。次に、伝送線３一側の線材端部３１を回路板１３の表面接点に半田接続し、他側の線材端部３１をアダプタ装置２の基部２１内に設置し、線材端部３１末端の二股に分岐した線端をマイクロＵＳＢプラグ２２の端子ピンおよびミニＵＳＢプラグ２３の端子ピンとそれぞれ接続する。線材端部３１はアダプタ装置２とＴ字形に接続される。次に、本体１の上下ケーシング１Ａ、１Ｂを回路板１３外部に被覆して固定し、ＵＳＢプラグ１５を本体１前方から露出させる。伝送線３を湾曲させ、伝送線３およびＴ字形に構成されたアダプタ装置２を本体１の位置決め部１１内に収納して位置決めし、本考案のカードリーダの組立が完成する。
【００２２】
上述の構造によって、アダプタ装置２を本体１の位置決め部１１内に収納するとき、アダプタ装置２と本体１を一体に組み合わせることができ、また、位置決め部１１両側にそれぞれ設置された係合溝１１１および位置合わせ孔１１２にアダプタ装置２両側のマイクロＵＳＢプラグ２２およびミニＵＳＢプラグ２３を収納する構造によって、本体１上の空間を十分に利用してマイクロＵＳＢプラグ２２およびミニＵＳＢプラグ２３を収納することができるので、本考案のカードリーダは、本来の外観およびサイズのもと、アダプタ装置２を新たに設置することができ、構造を小型化でき、軽薄短小化でき、携帯および使用に便利であるという長所を有することができる。また、マイクロＵＳＢプラグ２２が係合溝１１１内に位置決めされ、ミニＵＳＢプラグ２３が位置合わせ孔１１２に位置決めされることによって、マイクロＵＳＢプラグ２２およびミニＵＳＢプラグ２３が本体１から突出し、他の物体とぶつかって破損するのを防止することができる。
【００２３】
図４は、本考案のカードリーダの使用時の状態を示す分解斜視図である。図５は、本考案のカードリーダの使用時の状態を示す斜視図である。図６は、本考案の使用時の状態を示す斜視図である。上述の組立完成後のカードリーダを使用するとき、外部の電子カード４の前端を本体１の挿入口１２から挿入し、電子カード４を挿入口１２から対接空間１０内に位置決めし、電子カード４底部の接点４１を回路板１３上の接触端子１４と電気的に接続する。次に、カードリーダ背面のアダプタ装置２を本体１の位置決め部１１から取り外し、本体１のＵＳＢプラグ１５、アダプタ装置２のマイクロＵＳＢプラグ２２またはミニＵＳＢプラグ２３を外部の電子装置５のソケットに挿入し、内部の電子カード４のデータを接触端子１４、回路板１３およびＵＳＢプラグ１５から外部の電子装置５のソケット内の伝送端子に伝送し、外部の電子装置５に受信および読取を行なわせたり、データの送受信を行なわせたりする。上述の電子装置５はデスクトップパソコン、ノートパソコン、ＰＤＡ、携帯電話または多機能事務処理機などである。電子カード４は、Mini ＳＤ、ＭＳ Duo、Trans Flash（Micro DS）などのＣＦカード、ＳＤカード、ミニＳＤカードおよびＳＭカードなどである。
【００２４】
本体１は、プラスチックの射出一体成形によって回路板１３外部を被覆することができ、前方のＵＳＢプラグ１５を露出させてコネクタ（オスプラグまたはメスソケット）を形成し、本体１上方の位置決め部１１にアダプタ装置２を位置決めし、本体１下方の挿入口１２に電子カード４をそれぞれ位置決めし、軽薄短小のカードリーダを形成することができ、携帯および使用に便利で、空間を占用しない。
【００２５】
上述の説明におけるアダプタ装置２のマイクロＵＳＢプラグ２２およびミニＵＳＢプラグ２３は基部２１の両側に設置され、基部２１内には伝送線３の線材端部３１が設置され、線材端部３１の末端は二股に分岐してマイクロＵＳＢプラグ２２の端子ピンおよびミニＵＳＢプラグ２３の端子ピンと接続される。マイクロＵＳＢプラグ２２またはミニＵＳＢプラグ２３を使用するとき、電気装置を使用せずに直接信号伝送を行なうことができるが、回路板１３上に設置されたＩＣチップによって、アダプタ装置２のマイクロＵＳＢプラグ２２およびミニＵＳＢプラグ２３の規格形式に変換して使用することもでき、それによっても、アダプタ装置２のマイクロＵＳＢプラグ２２およびミニＵＳＢプラグ２３のデータ伝送を達成することができる。これらの簡易な修飾またはその他の構造変更による構成は、全て本考案の実用新案登録請求の範囲に含まれる。
【００２６】
また、上述の説明における本体１の位置決め部１１内に収容されるアダプタ装置２は、基部２１両側にマイクロＵＳＢプラグ２２およびミニＵＳＢプラグ２３が接続されたものであるが、本考案は、軽薄短小な本体１内に小型化された伝送プラグが設置された構造を主とするものであり、その伝送プラグはマイクロＵＳＢプラグ２２およびミニＵＳＢプラグ２３のみに制限されない。
【００２７】
本考案の保護されるべき重点および従来技術を改善できる技術を示す。
ＵＳＢプラグ１５を有する本体１上方にアダプタ装置２が収容される位置決め部１１が設けられる。アダプタ装置２は、伝送線３が接続された基部２１両側に、マイクロＵＳＢプラグ２２およびミニＵＳＢプラグ２３がそれぞれ設けられたものである。伝送線３の他側は本体１内の回路板１３と接続される。本体１の下方には、外部の電子カード４が挿入され、回路板１３上の接触端子１４と対接される挿入口１２が開設される。本体１を使用して電子カード４のデータを外部の電子装置５に伝送したいとき、使用者の必要に合わせて、ＵＳＢプラグ１５、マイクロＵＳＢプラグ２２またはミニＵＳＢプラグ２３を選択して外部の電子装置５のソケットに挿入し、電子カード４のデータを外部電子装置５に伝送して受信および読取を行なわせる。本考案のカードリーダは、様々な電子装置の接続インターフェイスに使用できるので、適用性が広く、市場における需要に符合し、経済効果が高く、使用者の購買欲を高め、カードリーダに付加価値を加えることができる。
【００２８】
本考案において採用された原理および構造の変更を運用した技術は、本考案の実用新案登録請求の範囲に含まれる。
上述の詳細な説明は、本考案の実施可能な好適な実施例を示すものであるが、その実施例は本考案の実用新案登録請求の範囲を制限するものではなく、本考案の主旨を逸脱しない範囲における変更および修飾は全て本考案の実用新案登録請求の範囲に含まれる。
上述のように、本考案のカードリーダを使用するとき、確実にその機能および目的を達成でき、本考案は実用性に優れた考案である。
【産業上の利用可能性】
【００２９】
ＵＳＢプラグ、マイクロＵＳＢプラグまたはミニＵＳＢプラグを選択して外部の電子装置のソケットに挿入し、電子カードのデータを外部電子装置に伝送して受信および読取を行なわせることができ、様々な電子装置の接続インターフェイスに使用でき、適用性が広い。
【符号の説明】
【００３０】
１  本体
１Ａ  上ケーシング
１Ｂ  下ケーシング
１０  対接空間
１１  位置決め部
１１１  係合溝
１１２  位置合わせ孔
１２  挿入口
１３  回路板
１４  接触端子
１５  ＵＳＢプラグ
１６  カード取出部
２  アダプタ装置
２１  基部
２２  マイクロＵＳＢプラグ
２３  ミニＵＳＢプラグ
３  伝送線
３１  線材端部
４  電子カード
４１  接点
５  電子装置
【図１】
0003149440.tif 000003
【図２】
0003149440.tif 000004
【図３】
0003149440.tif 000005
【図４】
0003149440.tif 000006
【図５】
0003149440.tif 000007
【図６】
0003149440.tif 000008